(57)【特許請求の範囲】
【請求項１】
音声情報を記録可能な撮像装置であって、
撮像した画像に係る画像ファイルを生成する画像ファイル生成手段と、
音声情報を含む音声ファイルを上記画像ファイルに付加して記録する場合、該画像ファイルと同じファイル番号の音声ファイルを生成する音声ファイル生成手段と、
上記画像ファイルに付加される音声ファイルが既に存在するか否かを判断する判断手段と、
上記画像ファイルに音声情報を付加する際に、上記判断手段により音声ファイルが存在すると判断された場合、該音声ファイルに音声情報を追加するよう上記音声ファイル生成手段を制御する制御手段とを有することを特徴とする撮像装置。
【請求項２】
上記画像ファイル生成手段は、順次生成する画像ファイルに対してそれぞれ固有のファイル番号を与えることを特徴とする請求項１記載の撮像装置。
【請求項３】
上記制御手段は、新たな画像ファイルが生成されるまで最新の音声ファイルに対して上記音声情報を追加する処理を行うことを特徴とする請求項１記載の撮像装置。
【請求項４】
上記判断手段により音声ファイルが存在しないと判断された場合、上記音声ファイル生成手段により、画像ファイルと同じファイル番号の音声ファイルを生成することを特徴とする請求項１記載の撮像装置。
【請求項５】
上記画像ファイル生成手段により生成された画像ファイルを記憶する記憶手段を更に有し、
上記記憶手段に記憶されている画像ファイルに対して、それぞれ音声ファイルを付加することが可能であることを特徴とする請求項１〜４の何れか１項に記載の撮像装置。
【請求項６】
音声情報を記録可能な撮像装置にて撮像した画像に係る画像ファイルを生成する画像ファイル生成処理と、
音声情報を含む音声ファイルを上記画像ファイルに付加して記録する場合、該画像ファイルと同じファイル番号の音声ファイルを生成する音声ファイル生成処理と、
上記画像ファイルに付加される音声ファイルが既に存在するか否かを判断する判断処理と、
上記画像ファイルに音声情報を付加する際に、上記判断処理にて音声ファイルが存在すると判断された場合、上記音声ファイル生成処理では該音声ファイルに音声情報を追加するよう制御する制御処理とをコンピュータに実行させるためのプログラムを記録したコンピュータ読み取り可能な記録媒体。
【請求項７】
上記画像ファイル生成処理では、順次生成する画像ファイルに対してそれぞれ固有のファイル番号を与えることを特徴とする請求項６記載のコンピュータ読み取り可能な記録媒体。
【請求項８】
上記制御処理では、新たな画像ファイルが生成されるまで最新の音声ファイルに対して上記音声情報を追加する処理を行うことを特徴とする請求項６記載のコンピュータ読み取り可能な記録媒体。
【請求項９】
上記判断処理にて音声ファイルが存在しないと判断された場合、上記音声ファイル生成処理にて、画像ファイルと同じファイル番号の音声ファイルを生成することを特徴とする請求項６記載のコンピュータ読み取り可能な記録媒体。
【請求項１０】
上記画像ファイル生成処理にて生成された画像ファイルを記憶手段に記憶する記憶処理を更に有し、
上記記憶手段に記憶されている画像ファイルに対して、それぞれ音声ファイルを付加することが可能であることを特徴とする請求項６〜９の何れか１項に記載のコンピュータ読み取り可能な記録媒体。
【請求項１１】
音声情報を記録可能な撮像装置におけるファイル作成方法であって、
撮像した画像に係る画像ファイルを生成し、
音声情報を含む音声ファイルを上記画像ファイルに付加して記録する場合、該画像ファイルと同じファイル番号の音声ファイルを生成し、
上記画像ファイルに付加される音声ファイルが既に存在するか否かを判断し、
上記画像ファイルに音声情報を付加する際に、上記判断の結果、音声ファイルが存在すると判断された場合、該音声ファイルに音声情報を追加するよう制御することを特徴とするファイル作成方法。
【発明の詳細な説明】
【０００１】
【発明の属する技術分野】
本発明は撮像装置、コンピュータ読み取り可能な記録媒体及びファイル作成方法に関するものである。
【０００２】
【従来の技術】
図１３は、音声情報を記録する機能を持つ従来の電子カメラの背面を示している。図１３において、２１は被写体や記録する画像を確認するためのファインダ、１０５はユーザが画像の記録をカメラに指示するためのシャッタボタン、１０６はユーザが音声情報の記録をカメラに指示するための録音ボタン、１０７は音声を取り込むためのマイクを示している。
【０００３】
シャッタボタン１０５が押されると、電子カメラはファインダ２１に写っている画像を取り込み、電子カメラ内の記憶装置にファイルとして保存する。
また、録音ボタン１０６を押しながらマイク１０７に向かって音声を入力することにより、音声情報を電子カメラ内の記憶装置にファイルとして保存することができ、録音ボタン１０６が離されると音声情報の記録が中止される。
音声情報の記録は、最近撮影・記録した画像に対して補足情報を与えるために行われる。なお、画像が一枚も取り込まれていない状態では音声情報の記録はできない。
【０００４】
図１４は、従来の方法による画像・音声記録によるファイル作成処理のフローチャートを示している。
新しいファイルが作成される場合としては、
（１）シャッタボタン１０５が押され画像データが取り込まれたとき
（２）録音ボタン１０６が押され音声データが取り込まれたとき
の２通りがある。なお、画像ファイルはファイル名の接尾子（ドット“．”以下の文字列）をｊｐｇ、音声ファイルは接尾子をｗａｖとする。
【０００５】
以下、図１４の処理３０〜３７について説明する。
まず、３０で変数ＦｉｌｅＮｏを初期化する。初期化の方法は、電子カメラ内の記憶装置に記憶されているファイルを検索し、記憶されているファイルの接頭子のうち、最も大きな値で初期化される。例えば、いま、記憶装置に１．ｊｐｇ、２．ｊｐｇ、３．ｊｐｇ、４．ｗａｖ、５．ｊｐｇの５つのファイルが記憶されていた場合、変数ＦｉｌｅＮｏは５で初期化される。なお、画像・音声ファイルが１枚も記憶されていない場合には、０で初期化される。記憶装置に記憶されているファイルを検索する方法に関しては、広く知られているのでここでは特に説明しない。
【０００６】
次に３１で、変数ＦｉｌｅＮｏの値を１だけインクリメントする。次に３２で、作成するファイルが音声ファイルか画像ファイルかを判定し、画像ファイルであれば、３３でファイル名“ＦｉｌｅＮｏ．ｊｐｇ”という画像ファイルを作成する。一方、作成するファイルが音声ファイルであれば、画像ファイルが既に作成されているかどうかを判定するために、３４でＦｉｌｅＮｏの値を調べ、ＦｉｌｅＮｏの値が１であれば画像が１枚も取り込まれていないので、音声ファイルを作成せずに３７へ進み処理を終了する。もし、ＦｉｌｅＮｏの値が１でなければ、既に画像が取り込まれているので、３５でファイル名“ＦｉｌｅＮｏ．ｗａｖ”という音声ファイルを作成する。作成した画像・音声ファイルは、３６で管理ファイルに登録する。
【０００７】
ここまでの流れを要約すると、画像データ・音声データが取り込まれるたびに新しいファイルを作成し、作成したファイルを管理ファイルに登録するというものである。管理ファイルは、音声ファイルがどの画像ファイルに対する補足情報であるかを示すためのファイルである。
【０００８】
図１５に、管理ファイルへの登録の処理フローを示す。
管理ファイルには、１つの画像ファイルのファイル名と、その画像ファイルに対する補足情報である音声ファイルのファイル名とが含まれている。管理ファイルは、１．ｃｔｇ、２．ｃｔｇのような名前で表される。管理ファイル名のドット以下の接尾子ｃｔｇは、管理ファイルであることを示す識別子である。
【０００９】
図１５において、はじめに４０で、変数ＣｔｇＮｏの値を初期値する。初期化の方法は、電子カメラ内の記憶装置に記憶されているファイルを検索し、記憶されている管理ファイルの接頭子のうち、最も大きな値で初期化される。例えば、いま、記憶装置に１．ｃｔｇ、２．ｃｔｇ、３．ｃｔｇ、４．ｃｔｇの４つの管理ファイルが記憶されていた場合、変数ＣｔｇＮｏは４で初期化される。なお、管理ファイルが１枚も記憶されていない場合には０で初期化される。
【００１０】
次に４１で、登録するファイルが音声ファイルか画像ファイルかを判定し、画像ファイルであれば、４２で大域変数ＣｔｇＮｏの値を１だけインクリメントする。次に、４３で管理ファイルを“ＣｔｇＮｏ．ｃｔｇ”という名前で作成し、４４で、作成した管理ファイル“ＣｔｇＮｏ．ｃｔｇ”に画像ファイル名を登録する。４１で、登録するファイルが音声ファイルならば、４５で管理ファイル“ＣｔｇＮｏ．ｃｔｇ”に音声ファイル名を登録する。
【００１１】
１つの管理ファイルには、１つの画像ファイル名と、１つの画像ファイルを作成してから次に新たな画像ファイルを作成するまでの間に作成された音声ファイルのファイル名とが登録される。
例えば、従来の電子カメラにより、記憶装置上に何も記録されていない状態でシャッタボタンを押して画像を記録し、そのあと記録した画像に対する補足情報としての音声を続けて３回記録した場合には、１．ｊｐｇ、２．ｗａｖ、３．ｗａｖ、４．ｗａｖの４つの画像・音声ファイルと１つの管理ファイル１．ｃｔｇとが作成される。管理ファイル１．ｃｔｇには、画像ファイル１．ｊｐｇ、及び３つの音声ファイル２．ｗａｖ、３．ｗａｖ、４．ｗａｖの合計４つのファイル名が登録されており、管理ファイル１．ｃｔｇにより音声ファイル２．ｗａｖ、３．ｗａｖ、４．ｗａｖが画像ファイル１．ｊｐｇの補足情報ファイルであることが識別される。
【００１２】
以上述べたように従来の電子カメラでは、音声が記録されるたびに新しい音声ファイルが作成され、また複数の音声ファイルが１つの画像ファイルの補足情報として作成される。
【００１３】
【発明が解決しようとする課題】
従来のように、音声情報を記録するたびに新しい音声ファイルを作成すると、音声ファイルが多数作成されるという問題点があった。また、１つの画像に対する補足情報としての音声ファイルが複数作成されるという問題点があった。
【００１４】
その結果、画像に対する音声を良好に再生可能とするために、画像ファイルに対してどの音声ファイルが対応しているかを示す情報を記憶したリンク管理用のファイルを用意する必要が生じるという問題があった。
また、画像ファイルを消去する場合も、リンク管理用のファイルを参照して音声ファイルを消去せねばならなくなり、手間がかかるという問題もあった。
【００１５】
また、コンピュータ読み取り可能な記録媒体に記憶された音声ファイルを、更新時間等により検索した場合、検索された音声ファイルがどの画像に対する補足情報であるのか、検索された音声ファイル以外の音声ファイルで、検索された音声ファイルと同じ画像に対する補足情報である音声ファイルが有るのかなどが、リンク管理用のファイルを参照しなければ分からないという問題点があった。
【００１６】
本発明は、画像ファイルに対応した音声ファイルを効率良く作成可能とすることを目的とする。
また、本発明は、画像ファイルを削除する際に、その画像ファイルに対応した音声ファイルも容易に削除可能とする撮像装置、コンピュータ読み取り可能な記録媒体及びファイル作成方法を提供することを目的とする。
また、本発明は、ファイル管理を容易にする撮像装置、コンピュータ読み取り可能な記録媒体及びファイル作成方法を提供することを目的とする。
さらに、本発明は、新規の機能を有する撮像装置、コンピュータ読み取り可能な記録媒体及びファイル作成方法を提供することを更なる目的とする。
【００１７】
【課題を解決するための手段】
本発明による撮像装置は、音声情報を記録可能な撮像装置であって、撮像した画像に係る画像ファイルを生成する画像ファイル生成手段と、音声情報を含む音声ファイルを上記画像ファイルに付加して記録する場合、該画像ファイルと同じファイル番号の音声ファイルを生成する音声ファイル生成手段と、上記画像ファイルに付加される音声ファイルが既に存在するか否かを判断する判断手段と、上記画像ファイルに音声情報を付加する際に、上記判断手段により音声ファイルが存在すると判断された場合、該音声ファイルに音声情報を追加するよう上記音声ファイル生成手段を制御する制御手段とを有することを特徴とする。
【００１８】
本発明によるコンピュータ読み取り可能な記録媒体は、音声情報を記録可能な撮像装置にて撮像した画像に係る画像ファイルを生成する画像ファイル生成処理と、音声情報を含む音声ファイルを上記画像ファイルに付加して記録する場合、該画像ファイルと同じファイル番号の音声ファイルを生成する音声ファイル生成処理と、上記画像ファイルに付加される音声ファイルが既に存在するか否かを判断する判断処理と、上記画像ファイルに音声情報を付加する際に、上記判断処理にて音声ファイルが存在すると判断された場合、上記音声ファイル生成処理では該音声ファイルに音声情報を追加するよう制御する制御処理とをコンピュータに実行させるためのプログラムを記録したことを特徴とする。
【００１９】
本発明によるファイル作成方法は、音声情報を記録可能な撮像装置におけるファイル作成方法であって、撮像した画像に係る画像ファイルを生成し、音声情報を含む音声ファイルを上記画像ファイルに付加して記録する場合、該画像ファイルと同じファイル番号の音声ファイルを生成し、上記画像ファイルに付加される音声ファイルが既に存在するか否かを判断し、上記画像ファイルに音声情報を付加する際に、上記判断の結果、音声ファイルが存在すると判断された場合、該音声ファイルに音声情報を追加するよう制御することを特徴とする。
【００２１】
【発明の実施の形態】
以下、本発明の実施の形態を図面と共に説明する。
本発明の第１の実施の形態による電子カメラの背面構成を、図１０に示す。なお、図１０において、図１３と同じ機能の部分に同じ番号を付けている。
【００２２】
図１０において、シャッタボタン１０５を押して画像を取り込んだ後、録音ボタン１０６を押しながらマイク１０７に向かって音声を入力することにより、たった今取り込んだ画像に対する補足情報として、音声情報を電子カメラ内の記憶装置に保存することができる。録音ボタン１０６が離されると音声情報の記録が中止される。更に続けて録音ボタン１０６を押すことにより、最も新しく記録した画像に対する補足情報としての音声情報を追加することが可能である。なお、画像が一枚も取り込まれていない状態では、音声を記録することはできない。
【００２３】
図１は、第１の実施の形態による電子カメラのブロック図を示している。
図１において、ユーザによりシャッタボタン１０５が押されると、そのことがカメラシステムのマイクロコントローラ１０３に通知される。マイコンを有するマイクロコントローラ１０３は、画像記録サブシステム１０１に対して画像の取り込みを指示する。この指示に応じて画像記録サブシステム１０１により取り込まれた画像データは、マイクロコントローラ１０３によりコンパクト・フラッシュメモリ等の記憶装置１０４に画像ファイルとして保存される。
【００２４】
また、ユーザにより録音ボタン１０６が押されると、そのことがカメラシステムのマイクロコントローラ１０３に通知される。これを受けてマイクロコントローラ１０３は、音声記録サブシステム１０２に対して音声データの取り込み開始を指示する。その後録音ボタン１０６が離されオフになると、マイクロコントローラ１０３は、音声記録サブシステム１０２に対して音声データの取り込み終了を指示する。これらの指示に応じて音声記録サブシステム１０２によってマイク１０７より取り込まれた音声データは、マイクロコントローラ１０３により記憶装置１０４に音声ファイルとして保存される。
【００２５】
なお、画像・音声の記録方法に関しては、当業者でよく知られているのでここでは特に説明しないが、例えば、特開平７−１８４１６０号公報に開示されている方法などを用いて記録すればよい。
【００２６】
また、１０８はマイクロコントローラ１０３のマイコンが後述する処理を実行するためのプログラムを記録した記録媒体であり、ＲＯＭ等の半導体メモリが用いられるが、場合によっては、例えばフロッピィディスク、ハードディスク、光ディスク、光磁気ディスク、ＣＤ−ＲＯＭ、不揮発性メモリカード、磁気媒体等を用いることができる。
【００２７】
図２は、マイクロコントローラ１０３のマイコンがメモリ１０８に記録したプログラムを用いて実行するファイル作成処理のフローチャートを示している。
まず５０で、変数ＦｉｌｅＮｏを初期化する。変数ＦｉｌｅＮｏは、マイクロコントローラ１０３内の図示しないＥＥＰＲＯＭなどの不揮発性の読み書き可能なメモリに保持されており、カメラ出荷時には０に初期化されている。
【００２８】
初期化の方法は、記憶装置１０４に記憶されているファイルを検索し、記憶されている画像ファイルの接頭子のうち、最も大きな値を取得する。この取得した値を変数ＦｉｌｅＮｏＦｏｕｎｄに保持する。そして、変数ＦｉｌｅＮｏの値と変数ＦｉｌｅＮｏＦｏｕｎｄの値とを比較し、大きな方の値を変数ＦｉｌｅＮｏに設定する。一例を挙げると、ＦｉｌｅＮｏが０、ＦｉｌｅＮｏＦｏｕｎｄが４のときは、変数ＦｉｌｅＮｏの値は４に設定される。
【００２９】
次に５１で、画像データを記録するのか音声データを記録するのかを判定し、画像データであれば、５２で変数ＦｉｌｅＮｏの値を１だけインクリメントする。インクリメントされた変数ＦｉｌｅＮｏは、マイクロコントローラ１０３内の可換メモリに再設定・保持される。次に５３で、ファイル名が“ＦｉｌｅＮｏ．ｊｐｇ”の画像ファイルを作成する。
【００３０】
上記５０，５１，５２，５３の処理により、カメラがその生涯において作成する画像ファイルのファイル名はすべてユニークなものとなり、同じファイル名を持つ画像ファイルを複数作成することはない。
記憶装置１０４にＣＦ（コンパクト・フラッシュ）などの取り付け・取り外し可能な可換媒体を使用した場合にも、カメラの生涯において同じファイル名を持つ画像ファイルを複数作成することはない。また、記憶装置１０４に既に存在する画像ファイルと同じファイル名を持つ画像ファイルを作成することもない。
【００３１】
上記５１の処理で、音声データを記録すると判定された場合には、画像が既に取り込まれているかどうかを判定するために、５４で変数ＦｉｌｅＮｏの値が０であるかどうかを判定する。もし０であったならば、画像が一枚も取り込まれていないので音声ファイルを作成せずに終了する。
【００３２】
一方、５４の処理で変数ＦｉｌｅＮｏの値が０でなく、既に画像が存在する場合は、画像ファイル“ＦｉｌｅＮｏ．ｊｐｇ”に対する補足情報としての音声ファイルが既に存在するかどうかを判定するために、５５で音声ファイル“ＦｉｌｅＮｏ．ｗａｖ”が存在するかどうかを調べる。もし音声ファイル“ＦｉｌｅＮｏ．ｗａｖ”が存在しなければ、画像ファイル“ＦｉｌｅＮｏ．ｊｐｇ”に対する補足情報としての音声ファイルがまだ存在しないので、５６で画像ファイル“ＦｉｌｅＮｏ．ｊｐｇ”に対する補足情報ファイルである音声ファイル“ＦｉｌｅＮｏ．ｗａｖ”を新たに作成する。
【００３３】
音声情報の記録の際に、上記５５の処理で既に画像ファイル“ＦｉｌｅＮｏ．ｊｐｇ”に対する補足情報の音声ファイル“ＦｉｌｅＮｏ．ｗａｖ”が存在すると判断した場合には、５７で新たに記録した音声情報を既に存在する音声ファイル“ＦｉｌｅＮｏ．ｗａｖ”の最後に追加する。
【００３４】
以上を要約すると、シャッタボタン１０５を押してファイル名が“ＦｉｌｅＮｏ．ｊｐｇ”という画像ファイルを作成した後、録音ボタン１０６を押して音声の記録を行うと、対応する画像ファイルと同じ接頭子を有する“ＦｉｌｅＮｏ．ｗａｖ”という音声ファイルが作成される。その後、次にシャッタボタン１０５が押されて新たに画像が記録されるまでの間に更に記録される音声データは、既に作成されている音声ファイル“ＦｉｌｅＮｏ．ｗａｖ”の最後に追加されていく。これにより、画像ファイルとその補足情報である音声ファイルは、同じ接頭子を持つファイルとして１：１に対応する。
【００３５】
したがって、画像ファイル“ＦｉｌｅＮｏ．ｊｐｇ”に対する補足情報である音声ファイルが存在するか、また存在するならどのファイルであるかを判定するには、画像ファイルの名前“ＦｉｌｅＮｏ．ｊｐｇ”の接頭子名“ＦｉｌｅＮｏ”と同じ接頭子名を持つ音声ファイル“ＦｉｌｅＮｏ．ｗａｖ”が存在するかを判定し、もし存在しなければ画像ファイル“ＦｉｌｅＮｏ．ｊｐｇ”に対する補足情報としての音声ファイルは存在せず、ファイル“ＦｉｌｅＮｏ．ｗａｖ”が存在すれば画像ファイル“ＦｉｌｅＮｏ．ｊｐｇ”に対する補足情報である音声ファイルが存在し、そのファイル名は“ＦｉｌｅＮｏ．ｗａｖ”であることが分かる。
【００３６】
なお、カメラが作成する音声ファイルのファイル名は、画像ファイルの接頭子をもとに決められるため、画像ファイルと同様にユニークなものとなる。よって電子カメラの生涯において同じファイル名を持つ音声ファイルを複数作成することはない。
記憶装置１０４にＣＦ（コンパクト・フラッシュ）などの取り付け・取り外し可能な可換媒体を使用した場合にも、カメラの生涯において同じファイル名を持つ音声ファイルを複数作成することはない。また、記憶装置１０４に既に存在する音声ファイルと同じファイル名を持つ音声ファイルを作成することもない。
【００３７】
したがって、例えば所定のファイル数（例えば１００個）のファイルが作成された後リセットされ、２回目のファイルＮｏ１のファイルを作成する装置では、１回目のＮｏ１のファイルと２回目のＮｏ１のファイルとの２つが存在する。この場合、例えば音声ファイル“ＦｉｌｅＮｏ１．ｗａｖ”に対応した画像ファイル“ＦｉｌｅＮｏ１．ｊｐｇ”を検索した場合、画像ファイル“ＦｉｌｅＮｏ１．ｊｐｇ”が２つ検索されてしまい、ファイル管理が良好にできない。しかしながら、本実施形態では同じファイル名のファイルを作成しないので、かかる欠点を解消できる。
【００３８】
以上のように、本実施の形態によれば、既に補足情報としての音声情報が記録されている画像に対して、新たに音声情報が記録された場合には、新しく音声ファイルを作ることなく、既存の音声ファイルの最後に新たに記録された音声情報を追加するので、１つの画像ファイルに対する補足情報としての音声ファイルをただ１つとすることができる。
また、画像ファイルとその補足情報である音声ファイルのファイル名として、同じ接頭子を持つファイル名を与えているので、リンク管理用のファイルがなくても互いの対応関係を容易に管理することができる。
【００３９】
また、カメラがその生涯において、全てのファイルに対して固有の画像・音声ファイル名を与えるため、音声ファイルのファイル名から、音声ファイルがどの画像ファイルに対する補足情報であるかを知ることが可能となる。逆に、画像ファイルのファイル名から、その画像ファイルに対する補足情報としての音声ファイルがあるかどうか、あればそれはどれであるかを知ることが可能となる。よって、例えばある画像ファイルを削除する場合も、その画像ファイルに対応した音声ファイルを容易に削除することができる。
【００４０】
次に、第２の実施の形態について説明する。
図３は、第２の実施の形態による電子カメラの背面を示している。上述した第１の実施の形態との違いは、液晶パネル６１、上方向ボタン６２、下方向ボタン６３、セキュリティスイッチ１６５が追加されていることである。液晶パネル６１は、カメラがユーザに対して問い合わせ等を行うＵＩであり、上方向ボタン６２および下方向ボタン６３は、ユーザがカメラから液晶パネル６１を通じて問い合わせを受けたときに処理を選択するために使用するものである。
【００４１】
図４は、第２の実施の形態による電子カメラのブロック図である。上述した第１の実施の形態との違いは、上記液晶パネル６１を用いた表示装置７１と、上記上方向、下方向ボタン６２、６３から成る上下方向ボタン７２と、セキュリティスイッチ１６５とが追加されていることである。ユーザに対してカメラの情報を表示する必要が生じたときには、カメラシステムのマイクロコントローラ１０３が表示装置７１に情報を表示する。
【００４２】
第１の実施の形態では、既に補足情報として音声ファイルが記録されている画像に対して、さらに音声を記録した場合には、どんな場合でも既に存在する音声ファイルの最後に音声データを追加していた。第２の実施の形態では、図５に示すように、録音する音声データを既存のファイルの最後に追加するか、それとも新しく音声ファイルを作り直すかをユーザに問い合わせる画面を液晶パネル６１に表示し、ユーザにより指定された処理を行う。ユーザは、上方向ボタン６２、下方向ボタン６３により処理方法を選択する。どちらの処理が選択されているかをユーザに知らせるために、選択されている処理方法８１は強調表示される。ユーザによりシャッタボタン１０５が押されると選択された処理が実行される。
【００４３】
この第２の実施の形態におけるファイル作成処理は、図２に示したフローチャートとほぼ同様であるが、図２との違いは、記録した音声データを既存の音声ファイルの最後に追加する５７の処理である。すなわち、５７の処理は、図６に示す処理フローに置き換わる。
【００４４】
図６において、まず９１で、ユーザに処理方法を問い合わせる。問い合わせは液晶パネル６１に図５で示したような画面を表示することにより行う。記録する音声データを既存のファイルの最後に追加するようにユーザに指示された場合は、９２で既存のファイルの最後に音声データを追加し、新しくファイルを作り直すように指示された場合は、９３で新しくファイルを作り直し（ただし、ファイル名は同じ）、作り直したファイルに録音した音声データを記録する。
【００４５】
本実施の形態によれば、補足情報としての音声ファイルが既に存在する画像に対して、音声の記録をユーザに指示された場合に、音声ファイルを既存のファイルの最後に併合するか、それとも新しく音声ファイルを作り直すかをカメラがユーザに問い合わせ、これに対してユーザが選択することができる。つまり、補足情報として音声を追加するか、それとも既存の音声を破棄して補足情報をら作り直すかを自由に選択することができる。
【００４６】
なお、作り直す音声ファイルの内容によっては、音声ファイルを作り直した操作者以外には聞かれたくないものもある。この場合のために、本実施形態の電子カメラにはセキュリティスイッチ１６５を設けた。操作者がこのセキュリティスイッチ１６５を操作して指示すると、液晶パネル６１には暗証データ入力用の画面が表示される。
【００４７】
これに対して操作者は、上方向ボタン６２、下方向ボタン６３を所望の組み合わせで用いて暗証データを指示する（例えば、上方向ボタン６２を２回押した後で下方向ボタン６３を３回押すなど）。この指示後、操作者により録音された音声は、“存在する音声ファイルの最後への追加”の形式では録音されず、新たなファイルとして録音される。そして、上記入力された暗証データの入力なしにはこの新たなファイルの音声は再生できなくなる。
【００４８】
次に、第３の実施の形態について説明する。
図７は、第３の実施の形態による電子カメラの背面を示している。上述した図３の第２の実施の形態との違いは、再生表示ボタン１０９および再生部６５が追加されていることと、セキュリティスイッチ１６５がないことである。再生表示ボタン１０９が押されると、一番最後に撮影した画像を液晶パネル６１に表示する。撮影した画像を液晶パネル６１に表示している状態で、上方向ボタン６２が押されると、現在表示している画像の次に撮影された画像を液晶パネル６１に表示し、下方向ボタン６３が押されると、現在表示している画像の前に撮影された画像を液晶パネル６１に表示する。
【００４９】
図８は、第３の実施の形態による電子カメラのブロック図である。上述した図４の第２の実施の形態との違いは、再生表示ボタン１０９および再生部（スピーカ）６５が追加されていることと、セキュリティスイッチ１６５がないことである。再生表示ボタン１０９が押されたときには、カメラシステムのマイクロコントローラ１０３が記憶装置１０４から最後に撮影された画像を取り出し、表示装置７１に画像を表示する。
【００５０】
表示装置７１に画像が表示されている状態で、上記上方向ボタン６２、下方向ボタン６３から成る上下方向ボタン７２が押されると、表示装置７１に現在表示されている画像の前後に撮影された画像を、表示装置７１に再生表示する。すなわち、上方向ボタン６２が押された場合には、カメラシステムのマイクロコントローラ１０３が表示装置７１に現在表示されている画像のすぐ後に撮影された画像を記憶装置１０４から取り出し、表示装置７１に表示する。一方、下方向ボタン６３が押された場合には、カメラシステムのマイクロコントローラ１０３が表示装置７１に現在表示されている画像のすぐ前に撮影された画像を記憶装置１０４から取り出し、表示装置７１に表示する。
【００５１】
第１、第２の実施の形態では、最新の画像ファイルに対してのみしか補足情報としての音声情報を追加することができなかったが、この第３の実施の形態によれば、最新の画像ファイル以外の画像ファイルに対しても、補足情報としての音声情報を新規作成・追加することが可能となる。すなわち、撮影した画像を液晶ディスプレイに表示し、現在表示している画像に対しても音声情報の新規作成・追加を行うことを可能としている。
【００５２】
液晶ディスプレイにはもっとも最近に撮影した画像のみならず、過去に撮影した画像も表示することができる。したがって、音声情報に関しても、もっとも最近に撮影した画像に対してのみでなく、記憶装置１０４に保持されているすべての画像ファイルに対して、補足情報としての音声情報を付加することを可能としている。
【００５３】
図９は、液晶パネル６１に画像が再生表示されているときに録音ボタン１０６が押されたときの音声ファイル作成の処理フローを示している。まず９４で、液晶パネル６１に現在表示されている画像ファイルのファイル名“ＦｉｌｅＮｏ．ｊｐｇ”を得る。次に５５で、音声ファイル“ＦｉｌｅＮｏ．ｗａｖ”が存在するかどうかを判定し、音声ファイル“ＦｉｌｅＮｏ．ｗａｖ”が存在しなければ、液晶パネル６１に現在表示されている画像ファイル“ＦｉｌｅＮｏ．ｊｐｇ”に対する補足情報としての音声ファイルが存在しないので、５６で画像ファイル“ＦｉｌｅＮｏ．ｊｐｇ”に対する補足情報ファイルである音声ファイル“ＦｉｌｅＮｏ．ｗａｖ”を新たに作成する。
【００５４】
一方、上記５５の処理で、液晶パネル６１に現在表示されている画像ファイル“ＦｉｌｅＮｏ．ｊｐｇ”に対する補足情報としての音声ファイル“ＦｉｌｅＮｏ．ｗａｖ”が既に存在する場合には、５７で新たに記録した音声情報を既に存在する音声ファイル“ＦｉｌｅＮｏ．ｗａｖ”の最後に追加する。図９の５５〜５７の処理は、図２の５５〜５７で行われる処理とまったく同様である。また、５７の処理は、図６に示した処理に置き換えても良い。
【００５５】
本実施形態では、画像ファイル“ＦｉｌｅＮｏ．ｊｐｇ”に対する補足情報としての音声ファイル“ＦｉｌｅＮｏ．ｗａｖ”が存在するか否かについては、操作者にも認識可能としている。すなわち、上方向ボタン６２、下方向ボタン６３の操作により記憶装置１０４から取り出される画像ファイルが変化するたびに、カメラシステムのマイクロコントローラ１０３は、取り出された画像ファイルに補足情報としての音声ファイルが存在するかを判定する。
【００５６】
そして、もし音声ファイルが存在する場合は、図７のように、液晶パネル６１に音声ファイルの存在を示す“Ｗ”の文字６４を表示画像を重ねて表示する。操作者は、この“Ｗ”の文字６４の存在から表示画像に対して既に補足情報としての音声ファイルが存在することを認識できるので、既に存在する音声ファイルを再生部６５により再生し、更に音声情報を補足する必要性の有無を認識した後、必要であれば音声情報を追加することができる。
【００５７】
なお、この第３の実施形態の場合も、上述したセキュリティモードを実行するようにすることが可能である。この場合、セキュリティモードの補足情報を有する画像を液晶パネル６１に表示したときには、“Ｓ”の文字を液晶パネル６１の画面上に表示する。この表示により操作者は、暗証データを入力しないと再生できない音声情報の有無を認識することができる。なお、この“Ｓ”の表示を行うか否かは、図示しないスイッチにより設定可能である。
【００５８】
次に、上記第１、第２、第３の実施の形態により、コンピュータ読み取り可能な記録媒体に記録された音声ファイルを、コンピュータにより更新時間をキーとして検索した実施形態を示す。
図１１は、コンピュータ読み取り可能な記録媒体に対してカメラにより記録されたファイルの一覧の一例を示している。この一覧は、ファイル名とその更新時間とを表している。更新時間のフォーマットは図１２に示す通りである。
【００５９】
例えば、コンピュータにより検索条件を１９９８年４月１日以降に設定してこの一覧を検索した場合、検索条件と一致するのは音声ファイル“６．ｗａｖ”である。本実施の形態によれば、この検索された音声ファイル“６．ｗａｖ”が、同じ接頭子を持つ画像ファイル“６．ｊｐｇ”の補足情報であることがファイル名より判別できる。なお、ファイルに更新時間を記録する方法、更新時間によりファイルを検索する方法に関しては、広く知られているのでここでは特に説明しない。
【００６０】
【発明の効果】
以上説明したように、本発明によれば、画像ファイルと対応させて音声ファイルを作成することにより、１つの画像ファイルに対してただ１つの音声ファイルが保存されるので、ファイル管理を容易に行うことができる。よって、例えばある画像ファイルを削除する場合も、その画像ファイルに対応した音声ファイルを容易に削除することができる。
また、１つの音声ファイルによって複数の音声情報を管理することができ、ファイル管理を容易に行うことができる。
【００６２】
また、撮影した画像を表示装置上で見ながら、撮影した画像に対する補足情報としての音声情報をファイルの形で記録することができる。さらに、最も最近撮影した画像のみならず、記憶装置に保持されているすべての画像ファイルに対して、補足情報としての音声データを、ファイルの新規作成もしくは既存のファイルの最後への追加により記録することができる。
また、表示手段に表示している画像ファイルに対して補足情報としての音声ファイルが既に存在するか否かを知ることができ、更にその場合に音声情報を再生して補足情報を追加するかどうかの判断材料とすることができる。
【００６３】
また、本発明によるコンピュータ読み取り可能な記録媒体によれば、画像ファイルと対応させて音声ファイルを作成し、さらに音声情報を記録する場合は、既存の音声ファイルに追加し、これを新しい画像ファイルが作成されるまで行う処理をコンピュータで行う場合に用いることができ、これにより１つの画像ファイルに対してただ１つの音声ファイルが作成されるので、ファイル管理を容易に行うことができる。
また、新たな音声情報を既存の音声ファイルに追加するか又は新しく音声ファイルを作成するかを選択する処理を行うことができる。
また、撮影した画像を表示装置上で見ながら、撮影した画像に対する補足情報としての音声情報をファイルの形で記録することができる。
また、コンピュータ読み取り可能な記録媒体に記録された音声ファイルを、更新時間等により検索した場合、検索された音声ファイルがどの画像ファイルに対する補足情報であるかをファイル名から判別することが可能となる。
【図面の簡単な説明】
【図１】本発明の第１の実施の形態を示すブロック図である。
【図２】第１の実施の形態によるファイル作成処理を示すフローチャートである。
【図３】本発明の第２の実施の形態による電子カメラの背面図である。
【図４】第２の実施の形態を示すブロック図である。
【図５】ユーザに音声ファイルの処理方法の選択を促す画面の一例を示す図である。
【図６】第２の実施の形態による動作を示すフローチャートである。
【図７】本発明の第３の実施の形態による電子カメラの背面図である。
【図８】第３の実施の形態を示すブロック図である。
【図９】第３の実施の形態によるファイル作成処理を示すフローチャートである。
【図１０】本発明の第１の実施の形態による電子カメラの背面図である。
【図１１】本実施形態を用いて記録媒体に記録されたファイルの一覧の一例を示す図である。
【図１２】更新時間のフォーマットを示す図である。
【図１３】従来の電子カメラの背面図である。
【図１４】従来のファイル作成処理を示すフローチャートである。
【図１５】従来の管理ファイルへの登録処理を示すフローチャートである。
【符号の説明】
２１  ファインダ
６１  液晶パネル
６２  上方向ボタン
６３  下方向ボタン
６４  補足情報の存在を示すマーク
６５  再生部（スピーカ）
７１  表示装置
７２  上下方向ボタン
８１  選択されている処理方法
１０１  画像記録サブシステム
１０２  音声記録サブシステム
１０３  カメラシステムのマイクロコントローラ
１０４  記憶装置
１０５  シャッタボタン
１０６  録音ボタン
１０７  マイク
１０８  メモリ
１０９  再生表示ボタン
１６５  セキュリティスイッチ
【図１】
0004240578.tif 000002
【図２】
0004240578.tif 000003
【図３】
0004240578.tif 000004
【図４】
0004240578.tif 000005
【図５】
0004240578.tif 000006
【図６】
0004240578.tif 000007
【図７】
0004240578.tif 000008
【図８】
0004240578.tif 000009
【図９】
0004240578.tif 000010
【図１０】
0004240578.tif 000011
【図１１】
0004240578.tif 000012
【図１２】
0004240578.tif 000013
【図１３】
0004240578.tif 000014
【図１４】
0004240578.tif 000015
【図１５】
0004240578.tif 000016